(57)【要約】  【課題】  複数のキーに対して所望の機能を割り当て、設定完了までの操作ステップを削減する。  【解決手段】  ＳＴ２において、メニュー項目の中からアサインキー変更の項目が選択され、ＳＴ３では、機能を割り当てたいアサインキーが選択される。ＳＴ４において、割り当てたい機能が選択され、選ばれたアサインキーに対して選択した機能を割り当てる。ＳＴ５では、設定結果のお知らせ画面が表示される。対の関係にある二つの機能の一方が割り当てられると、その他方の機能の割り当てを促すメッセージが表示される。所定時間の表示の後に、最新の割り当て状態が表示され、ＳＴ６で最新のアサインキー情報が不揮発性メモリに記憶される。割り当て処理を終了するのであれば、メニューボタン８が押され、メニューが閉じられる（ＳＴ８）。【選択図】  図５
2008186488.tif 000002
【特許請求の範囲】
【請求項１】
操作入力を行うための複数のキーと、
上記複数のキーに所望の機能を割り当てる制御手段とを備え、
上記制御手段は、ユーザによって上記複数のキーの１つに対して第１の機能を割り当てる操作がなされた際に、上記複数のキーのうちの他の操作キーに対して、上記第１の機能と対の関係にある第２の機能の割当を促すメッセージを表示手段に表示させる電子機器。
【請求項２】
上記ユーザが行った一連の操作を記憶し、記憶された上記一連の操作を上記複数のキーの何れかに割り当てる請求項１に記載の電子機器。
【請求項３】
上記複数のキー単位の内の二つのキーの間で、それぞれに割り当てられた機能を入れ替える請求項１に記載の電子機器。
【請求項４】
操作入力を行うための複数のキーと、
上記複数のキーに所望の機能を割り当てる制御手段とを備え、
上記制御手段は、ユーザによって上記複数のキーの１つに対して第１の機能を割り当てる操作がなされた際に、上記複数のキーのうちの他の操作キーに対して、上記第１の機能と対の関係にある第２の機能を自動的に割当てる電子機器。
【請求項５】
上記ユーザが行った一連の操作を記憶し、記憶された上記一連の操作を上記複数のキーの何れかに割り当てる請求項４に記載の電子機器。
【請求項６】
上記複数のキー単位の内の二つのキーの間で、それぞれに割り当てられた機能を入れ替える請求項４に記載の電子機器。
【請求項７】
複数のキーで操作入力を行い、
上記複数のキーに所望の機能を割り当て、
ユーザによって上記複数のキーの１つに対して第１の機能を割り当てる操作がなされた際に、上記複数のキーのうちの他の操作キーに対して、上記第１の機能と対の関係にある第２の機能の割当を促すメッセージを表示手段に表示させる電子機器の制御方法。
【請求項８】
上記ユーザが行った一連の操作を記憶し、記憶された上記一連の操作を上記複数のキーの何れかに割り当てる請求項７に記載の電子機器の制御方法。
【請求項９】
上記複数のキー単位の内の二つのキーの間で、それぞれに割り当てられた機能を入れ替える請求項７に記載の電子機器の制御方法。
【請求項１０】
複数のキーで操作入力を行い、
上記複数のキーに所望の機能を割り当て、
ユーザによって上記複数のキーの１つに対して第１の機能を割り当てる操作がなされた際に、上記複数のキーのうちの他の操作キーに対して、上記第１の機能と対の関係にある第２の機能を自動的に割当てる電子機器の制御方法。
【請求項１１】
上記ユーザが行った一連の操作を記憶し、記憶された上記一連の操作を上記複数のキーの何れかに割り当てる請求項１０に記載の電子機器の制御方法。
【請求項１２】
上記複数のキー単位の内の二つのキーの間で、それぞれに割り当てられた機能を入れ替える請求項１０に記載の電子機器の制御方法。
【発明の詳細な説明】
【技術分野】
【０００１】
この発明は、カムコーダ、ディジタルカメラ、携帯電話、ＰＤＡ等の表示パネルと操作部とを備える電子機器およびその制御方法に関する。
【背景技術】
【０００２】
電子機器例えばカムコーダ（comcoder(camera and recorder)を略した一般的に名称、ビデオカメラ＋レコーダ）の小型化が進み、本体に取り付けられるハードキー（以下、単にキーと称する）の数が減少する傾向がある。その結果、キーに割り当てられない機能は、メニューから操作することになり、即時性を欠いたり、機能が実際に目に触れることが少なくなり、操作が面倒となるおそれがあった。
【０００３】
逆に多数のキーを設けることができたとしても、カムコーダの用途は、ユーザによって異なるので、キーに予め割り当てられた機能が全てのユーザにとって必ずしもキーによって提供してほしい機能とは限らない。
【０００４】
テレビジョン受像機を操作する遠隔操作装置のコマンダのキーに関して、１つのキーへユーザが所望する機能を１つしか割り当てることができなかったのを、複数の機能であって、操作する度に機能がシーケンシャルに割り当てられるようにした技術が下記の特許文献１に記載されている。
【０００５】
【特許文献１】特開２００２−１０３８０号公報
【発明の開示】
【発明が解決しようとする課題】
【０００６】
特許文献１に記載のように、シーケンシャルに提供される複数の機能を１つのキーに割り当てる方法は、キー数の減少が可能であっても、割り当てることが可能な機能が限定されたり、ユーザが設定内容を記憶することが大変で、操作性が改善されるとは、言い難いものであった。また、複数のキーに対して機能を割り当てるものではなく、機能割り当て方法が操作性が良好なものとは言い難かった。
【０００７】
したがって、この発明の目的は、メニューとして備えられている項目または他の項目に関する設定画面を直ちに表示させる機能をキーに割り当てることによって、操作性の改善を図った電子機器およびその制御方法を提供することにある。
【課題を解決するための手段】
【０００８】
上述した課題を解決するために、この発明は、操作入力を行うための複数のキーと、
複数のキーに所望の機能を割り当てる制御手段とを備え、
制御手段は、ユーザによって複数のキーの１つに対して第１の機能を割り当てる操作がなされた際に、複数のキーのうちの他の操作キーに対して、第１の機能と対の関係にある第２の機能の割当を促すメッセージを表示手段に表示させる電子機器である。
【０００９】
また、この発明は、操作入力を行うための複数のキーと、
複数のキーに所望の機能を割り当てる制御手段とを備え、
制御手段は、ユーザによって複数のキーの１つに対して第１の機能を割り当てる操作がなされた際に、複数のキーのうちの他の操作キーに対して、第１の機能と対の関係にある第２の機能を自動的に割当てる電子機器である。
【００１０】
この発明は、複数のキーで操作入力を行い、
複数のキーに所望の機能を割り当て、
ユーザによって複数のキーの１つに対して第１の機能を割り当てる操作がなされた際に、複数のキーのうちの他の操作キーに対して、第１の機能と対の関係にある第２の機能の割当を促すメッセージを表示手段に表示させる電子機器の制御方法である。
【００１１】
また、この発明は、複数のキーで操作入力を行い、
複数のキーに所望の機能を割り当て、
ユーザによって複数のキーの１つに対して第１の機能を割り当てる操作がなされた際に、複数のキーのうちの他の操作キーに対して、第１の機能と対の関係にある第２の機能を自動的に割当てる電子機器の制御方法である。
【発明の効果】
【００１２】
この発明では、複数のキーに対してメニューを開いて項目を選択し、選択した項目の設定画面を表示し、設定画面によって設定を行うのと別に、キーを操作すると、直ちに選択した項目の設定画面を表示することが可能となり、ショートカットの機能を実現でき、設定完了までの操作ステップ数を削減できる。また、メニューを開いて選定される項目以外の独自の項目の設定画面を表示する機能を割り当てることもできる。設定画面の表示を直ちに行うことができ、設定の変更を瞬時に行うことができる。
【発明を実施するための最良の形態】
【００１３】
以下、この発明の一実施形態について図面を参照しながら説明する。図１は、この発明を適用できるカムコーダの外観の構成を示す。参照符号１がレンズ収納部を示し、レンズを介してＣＣＤ等の撮像素子に対して被写体光が入射する。参照符号２がズームリングである。参照符号３がステレオマイクロホン、参照符号４が電子ビューファインダである。
【００１４】
参照符号５が例えば２．５型の液晶モニタである。液晶モニタ５は、本体側面の収納凹部６に収納自在とされている。図１では、省略されている本体の反対側面には、例えばＤＶ(Digital Video)規格のテープカセット収納部が設けられている。カメラ部で撮影された被写体の映像信号が信号処理されて、回転ヘッドによってテープカセットの磁気テープに記録される。
【００１５】
図１に示すカムコーダには、複数の操作キーが設けられている。この発明と関連するものは、アサインキー７とメニューボタン８と選択／押し決定ダイヤル９である。アサインキー７は、図２に示すように、複数例えば３個のアサインキー（各アサインキーをアサインキー１，２，３と適宜呼ぶことにする）から構成されている。アサインキー７は、操作し易い位置例えばズームリング２の近傍で、且つ他の操作キーとは、分離、独立して設けられている。後述するように、アサインキー７の各キーには、ユーザが所望の機能を割り当てることが可能とされている。例えばアサインキー７を押すことによって、録画開始、テープの早送り、巻き戻し、レンズ取り込み画像の処理などの所望の処理を行うことが可能とされている。アサインキー７等のキーは、押しボタン式のキー、スライド式のキー、感圧スイッチ等のハードキーに限らず、液晶パネル５に重ねられ、指先等で押されるタッチパネルの構成も使用することができる。
【００１６】
図３は、カムコーダの信号処理構成の概略を示す。図３において、実線がビデオ・オーディオ信号の経路、ストリームの経路およびコントローラを構成するＣＰＵ(Central Processing Unit)バスを示し、点線がＣＰＵのコントロール信号の経路を示す。レンズ１１を介してＣＣＤ（Charge Coupled Device)等の素子からなるイメージャ１２に対して被写体光が入射される。イメージャ１２の出力信号がカメラ信号処理部１３に供給され、色分離、ディジタル化処理等種々のカメラ信号処理がなされる。
【００１７】
カメラ信号処理部１３からのレンズ取り込み映像信号がベースバンド処理部１４に供給される。ベースバンド処理部１４には、ＯＳＤ(On Screen Display)部１５からのメニュー表示等の表示信号が供給される。ＯＳＤ部１５は、メニュー表示、各種設定等の表示信号をＣＰＵで構成されたコントローラ１６からの命令により作成する。ＯＳＤ部１５からの表示信号がベースバンド信号処理部１４において、レンズ取り込み映像信号に合成される。
【００１８】
コントローラ１６に対してＣＰＵバスを介して不揮発性メモリ例えばＥＥＰＲＯＭ(Electrical Erasable Programmable ＲＯＭ）が接続されている。図示を省略しているが、不揮発性メモリとしてリムーバブルなメモリカードを使用することができる。コントローラ１６のＣＰＵバスは、ベースバンド信号処理部１４に接続されている。
【００１９】
ベースバンド処理部１４からの映像信号が圧縮エンコーダ１８においてＤＣＴ(Discrete Cosine Transform)等を使用して圧縮され、マルチプレクサ１９に供給される。マルチプレクサ１９において、圧縮符号化されたオーディオデータ、システムデータ等が多重化され、記録データが生成される。記録データが記録処理部２０に供給される。
【００２０】
記録処理部２０では、誤り訂正エンコーダ、チャンネルコーディング等の処理がなされる。記録処理部２０からの記録信号（記録ストリームデータ）がテープ・ヘッド部２１の回転ヘッドに供給され、回転ヘッドによって磁気テープ上に記録信号が斜めのトラックとして記録される。
【００２１】
テープ・ヘッド部２１の回転ヘッドによって磁気テープから再生された再生信号（再生ストリームデータ）が再生処理部２２に供給される。再生処理部２２では、チャンネルコーディングの復号、誤り訂正等の処理がなされる。
【００２２】
再生処理部２２からの再生データがデマルチプレクサ２３に供給され、映像データ、オーディオデータ、システムデータが分離される。映像データが伸張デコーダ２４にて圧縮符号化が復号される。伸張デコーダ２４からの映像信号がベースバンド信号処理部１４に供給される。
【００２３】
ベースバンド信号処理部１４に対して、電子ビューファインダ４および液晶パネル５が接続されている。これらの表示装置には、レンズ取り込み画像、テープの再生画像、種々のメニュー等が表示される。さらに、コントローラ１６とキーデバイス２５とが結合されている。キーデバイス２５には、アサインキー７、メニューボタン８、選択／押し決定ダイヤル９等のキーが含まれている。選択／押し決定ダイヤル９は、ダイヤルを回転させることで、液晶パネル５の画面上で選択項目を変更でき、ダイヤルを押すことで、選択を決定する入力装置である。
【００２４】
図４を参照して、カムコーダの各種設定を行うＧＵＩメニューと、その中の所望のメニュー項目に対してショートカットを割り当てる方法について説明する。処理は、コントローラ１６のＣＰＵがプログラムにしたがって実行する。通常、カムコーダの設定を行う場合、メニューボタン８を押してメニュー画面を液晶パネル５に表示し、図４Ａに示す画面３１ａで示すように、メニュー項目の中で、所望のメニュー項目例えば「カメラ設定」を選択／押し決定ダイヤル９によって選択する。選択された項目は、ハイライト表示等で他の項目と区別される。
【００２５】
メニュー項目は、画面の左端に整列されているアイコンで表示されている。「カメラ設定」以外に、「オーディオ設定」、「メモリ設定」、「その他」等のメニュー項目が用意されている。カムコーダが録画一時停止（記録スタンバイ）の状態でメニュー画面が表示され、図示を省略しているが、液晶パネル５には、撮影中の画像がバックグラウンドとして表示されている。
【００２６】
メニューは、階層構造でもって規定されている。例えば「カメラ設定」の中には、下位の階層として、「手ぶれ補正」「ワイド設定」「プログレッシブ記録」「シャープネス」「ゲインレベル」の設定項目が規定されている。図４Ｂに示す画面３１ｂは、「カメラ設定」→「手ぶれ補正」の項目が選択／押し決定ダイヤル９によって選択された状態を示す。画面３１ｂには、「手ぶれ補正」の現在の設定例えば「入」も表示される。選択／押し決定ダイヤル９は、ダイヤルを回転することによって、複数の項目の内の一つを選択し、ダイヤルを押すことで、選択を決定する入力装置である。
【００２７】
「手ぶれ補正」の項目が決定されると、図４Ｃに示すように、「手ぶれ補正」の設定画面３１ｃが表示される。選択／押し決定ダイヤル９によって、所望の設定を行うことができる。例えば「手ぶれ補正」の「入／切」を設定できる。他のメニュー項目についても同様に、メニュー項目を選択し、選択したメニュー項目に関する設定画面を表示させ、設定画面によって所望の設定が行われる。
【００２８】
アサインキー７の中の例えばアサインキー１に対して上述したメニュー項目例えば「手ぶれ補正」を割り当てることによって、図４Ｄに示すように、アサインキー１を操作すると瞬時に手ぶれ補正の設定画面３１ｃを液晶パネル５に表示させることができる。すなわち、アサインキー１は、「手ぶれ補正」のショートカットキーとしての機能を有する。瞬時に予め割り当てたメニュー項目の設定画面を表示させることが可能となるので、撮影中であっても、所望の設定を直ぐに行うことが可能となる。
【００２９】
アサインキーに対して機能を割り当てる処理は、コントローラ１６のＣＰＵがプログラムにしたがって実行する。具体的には、アサインキー設定メニューを選択して液晶パネル５の表示を見ながら選択／押し決定ダイヤル９を操作して実行することができる。すなわち、ダイヤルを回転させて複数のアサインキーの内で機能を割り当てたいアサインキーを選択し、次に、メニュー項目の中から割り当てたい機能を選択し、ダイヤルを押すことで決定する操作で行う。
【００３０】
上述したアサインキーに対して、メニューを表示して選択／押し決定ダイヤル９を操作して設定が可能な項目以外のメニュー項目も割り当てることが可能とされている。例えば液晶パネル５の画面にカラーバーを表示するか否かの設定の項目がアサインキーに割り当てられる。
【００３１】
一実施形態では、複数のアサインキーの一つのキーに対して、対になる関係にある二つの機能の一つを割り当てると、二つの機能の他方をそのアサインキーに割り当てることを促すメッセージを提示するようにしている。図５のフローチャートおよび図６の液晶パネル５の表示画面を参照してアサインキーに対する機能割り当て処理について説明する。
【００３２】
ステップＳＴ１において、メニューボタン８が押される。液晶パネル５にメニューが表示される。メニューの画面では、複数のメニュー項目が表示される。ステップＳＴ２において、メニュー項目の中から「ユーザ設定切替」が選択される。アサインキー７は、３個のアサインキーを有するので、キー選択ステップＳＴ３では、選択した機能を割り当てたいアサインキーが選択される。
【００３３】
図６Ａは、メニューボタン８を押した時に表示されるメニュー表示画面において、メニュー項目の「その他」を選択した場合の画面４１ａを示す。「その他」のメニュー項目の下位のメニュー項目として、「ユーザ設定切替」「録画モード」「録画フォーマット」のメニュー項目が用意されている。「ユーザ設定切替」が選択されると、図６Ｂに示す画面４１ｂが表示される。「ユーザ設定切替」の選択を決定すると、図６Ｃに示すキー選択画面４１ｃが表示される。「ユーザ設定切替」のメニューは、アサインキー７の対するメニュー項目の割り当てを行うためのメニューである。
【００３４】
キー選択画面４１ｃにおいて、「ユーザ設定１」は、アサインキー１に対して割り当てられているメニュー項目を示し、「ユーザ設定２」および「ユーザ設定３」は、アサインキー２およびアサインキー３に対してそれぞれ割り当てられているメニュー項目を示す。図６Ｃのキー選択画面４１ｃでは、ユーザ設定が全て「ブランク」、すなわち、実行機能を持たない機能が割り当てられている状態を示す。ブランクを割り当て可能とすることによって、アサインキーの機能を必要としないユーザに対応でき、また、誤ってアサインキーを押すことによる誤操作を回避することができる。また、同一の機能を複数のアサインキーに対して割り当てることが可能とされている。
【００３５】
機能選択ステップＳＴ４において、選択／押し決定ダイヤル９を回転させることで割り当てたい機能が選択される。ステップＳＴ５において、選択／押し決定ダイヤル９を押すことで選ばれたアサインキーに対して選択した機能を割り当てる。アサインキーに割り当てることが可能な機能は、メニューを開いて、すなわち、メニューボタン８および選択／押し決定ダイヤル９を操作して設定できる機能と重複している場合のみならず、アサインキーのみに割り当てることができるものであっても良い。メニューボタン８および選択／押し決定ダイヤル９を操作して設定できる機能の一つをアサインキーに割り当てた場合では、このアサインキーがショートカットキーの機能を持つことになる。
【００３６】
例えばキー選択画面４１ｃにおいて、「ユーザ設定１」が選択されると、表示が切り替わり、図６Ｄに示す機能選択画面４１ｄが表示される。例えば選択可能なメニュー項目として「ブランク」「エディットサーチ＋」「エディットサーチ−」「インデックス打ち込み」が用意されている。「エディットサーチ＋」は、テープ一時停止状態において画面を順方向に再生する機能であり、「エディットサーチ−」は、テープ一時停止状態において画面を逆方向に再生する機能である。両者は、対になる関係にある二つの機能の一例である。他に「テレ／ワイド」「フォーカス±」等の機能が対になる関係の機能である。
【００３７】
機能の割り当てステップＳＴ４の後に、設定結果のお知らせ画面が表示される（ステップＳＴ５）。図６Ｄにおいて、例えば「エディットサーチ＋」が「ユーザ設定１」として設定されると、図６Ｅに示す設定結果お知らせ画面４１ｅが表示される。この画面４１ｅには、設定が完了したこと、アサインキー１に「エディットサーチ＋」の機能が割り当てられたことが表示されるのに加えて、対の関係にある機能の他方の機能、すなわち、「エディットサーチ−」の割り当てを促すメッセージが表示される。なお、割り当てを促すメニューを提示する代わりに、自動的に対の関係にある他の機能を他のアサインキーに対して割り当てるようにしても良い。
【００３８】
設定結果お知らせ画面４１ｅが表示されてから所定の待ち時間例えば５秒が設定されている。待ち時間が経過すると、図６Ｆに示すように、アサインキー７のそれぞれに対する割り当ての結果を示すキー選択画面４１ｆが表示される。キー選択画面４１ｃに対してキー選択画面４１ｆには、最新の割り当て状態が表示されている。
【００３９】
ステップＳＴ６では、最新のアサインキー情報が不揮発性メモリ（ＥＥＰＲＯＭ１７）に記憶される。そして、ステップＳＴ７において、続けて他のアサインキーに対する機能の割り当て処理を行うか否かが判定される。割り当て処理を続行する場合では、処理がキー選択ステップＳＴ３（機能を割り当てるアサインキーの選択）に戻る。割り当て処理を終了するのであれば、メニューボタン８が押され、メニューが閉じられる（ステップＳＴ８）。
【００４０】
アサインキー７に割り当てた機能は、削除することが可能とされている。さらに、複数のキー単位の内の二つのキーの間で、それぞれに割り当てられた機能を入れ替えることができる。図７は、この入れ替え処理を説明するものである。
【００４１】
図７Ａは、メニューボタン８を押した時に表示されるメニュー表示画面において、メニュー項目の「その他」を選択した場合の画面５１ａを示す。下位のメニュー項目として、「ユーザ設定入れ替え」が用意されている。「ユーザ設定入れ替え」が選択されると、図７Ｂに示す画面５１ｂが表示される。「ユーザ設定入れ替え」の選択を決定すると、図７Ｃに示すキー選択画面５１ｃが表示される。
【００４２】
キー選択画面５１ｃは、現在のキー割り当てが示される。一例として、アサインキー１に対して「エディットサーチ＋」の機能が割り当てられ、アサインキー２に対して「インデックス打ち込み」の機能が割り当てられ、アサインキー３に対して「エディットサーチ−」の機能が割り当てられている。
【００４３】
キー選択画面５１ｃにおいて、ユーザ設定１（アサインキー１）を選択し、その選択を決定すると、図７Ｄに示す入れ替え先選択画面５１ｄが表示される。入れ替え先選択画面５１ｄにおいて、ユーザ設定１（アサインキー２）が選択される。決定がなされると、ユーザ設定１とユーザ設定２の機能を入れ替える処理がなされる。そして、図７Ｅに示すように、ユーザ設定１に割り当てられている機能が「インデックス打ち込み」となり、ユーザ設定２に割り当てられている機能が「エディットサーチ＋」となったことが示される。入れ替えられた結果が不揮発性メモリに書き込まれる。
【００４４】
一実施形態では、使用者が行った一連の操作を記憶し、記憶された操作を複数のアサインキーの何れかに割り当てることが可能とされている。例えばメニュー項目として、「一連のカムコーダ操作記憶動作の開始」という項目を用意しておき、記憶動作の開始を有効にした後に、ブランクとされているアサインキーの何れかを押し、記憶動作を開始する。この時点から再び選択したアサインキーを押すまでの間になされたカムコーダの操作手順が不揮発性メモリに記憶される。記憶完了後にそのアサインキーを押すと、記憶した操作手順と同一の操作がなされた場合の動作がなされる。
【００４５】
一連の操作手順を記憶しておくことによって、アサインキーを押すだけで、その操作手順に対応する動作を実行することができる。したがって、普段、ユーザが良く使用する操作を伴うシーケンスをアサインキーを押すだけで実行でき、緊急時等に容易に対処することが可能となる。
【００４６】
以上、この発明の一実施形態について具体的に説明したが、この発明は、上述の一実施形態に限定されるものではなく、この発明の技術的思想に基づく各種の変形が可能である。例えば例えば処理の順序において、キー選択のステップと、機能割り当てのステップとの何れを先に行うようにしても良い。この発明は、カムコーダ以外の表示パネルを持ち、メニュー表示が可能な電子機器に対して広く適用可能である。
【図面の簡単な説明】
【００４７】
【図１】この発明の一実施形態のカムコーダの外観を示す斜視図である。
【図２】アサインキーの一例を示す略線図である。
【図３】カムコーダの信号処理の構成を概略的に示すブロック図である。
【図４】メニュー設定時の液晶パネルの表示を示す略線図である。
【図５】アサインキーの割り当て処理の流れを示すフローチャートである。
【図６】アサインキーの割り当て処理の一例における液晶パネルの表示を示す略線図である。
【図７】アサインキーの割り当て処理の他の例における液晶パネルの表示を示す略線図である。
【符号の説明】
【００４８】
５  液晶パネル
７  アサインキー
８  メニューボタン
９  選択／押し決定ダイヤル
１２  イメージャ
１５  ＯＳＤ部
１６  コントローラ
１７  ＥＥＰＲＯＭ
【図１】
2008186488.tif 000003
【図２】
2008186488.tif 000004
【図３】
2008186488.tif 000005
【図４】
2008186488.tif 000006
【図５】
2008186488.tif 000007
【図６】
2008186488.tif 000008
【図７】
2008186488.tif 000009